(57)【要約】【課題】処理槽のサイズが能力的に大きすぎる場合に、処理槽内での液循環への悪影響を可及的に回避しつつ、濾過処理能力を低く調節して最適化を図ることで、環境的にも経済的にも一層優れた対応を可能と為し得る、新規な構造の浸漬型膜分離装置を提供すること。【解決手段】両面濾過式の平板状膜エレメントまたは片面濾過式の平板状膜エレメントにおける濾過処理面３４同士をクロスフロー領域を介して対向配置させた第一のクロスフロー領域と、片面濾過式の平板状膜エレメントの非濾過処理面３８を、両面濾過式の平板状膜エレメントまたは片面濾過式の平板状膜エレメントにおける濾過処理面３４に対してクロスフロー領域を介して対向配置させた第二のクロスフロー領域とが設けられており、それら第一のクロスフロー領域と第二のクロスフロー領域との割合が設定変更可能とされている。【選択図】図２
2014057967.tif 000002
【特許請求の範囲】
【請求項１】
平板状膜エレメントの複数をそれぞれが鉛直方向に広がるように且つ互いに水平方向で所定間隔を隔てて重なり合うように位置決め配置されており、処理槽内に設置されて濾過対象液に浸漬されることにより隣り合う各平板状膜エレメントの対向面間にクロスフロー領域が形成されるようにした膜ユニットを備えた浸漬型膜分離装置において、
剛性を有する濾板の両面にそれぞれ濾過膜シートを重ね合わせて各該濾過膜シートの周縁を該濾板に固着すると共に、各該濾過膜シートを透過した濾過液を外部に導く濾過液流路を該濾板に形成して、該濾板の両面に濾過処理面を構成した両面濾過式の平板状膜エレメントと、
剛性を有する濾板の一方の面に濾過膜シートを重ね合わせて該濾過膜シートの周縁を該濾板に固着すると共に、該濾過膜シートを透過した濾過液を外部に導く濾過液流路を該濾板に形成することにより、該濾板の一方の面側に濾過処理面を構成する一方、該濾板の他方の面を露呈させることにより、該濾板の他方の面側に非濾過処理面を構成した片面濾過式の平板状膜エレメントと
の、両方を採用して、
前記処理槽内で両面が前記濾過対象液に晒された状態で浸漬される前記平板状膜エレメントの複数を、前記両面濾過式の平板状膜エレメントと前記片面濾過式の平板状膜エレメントとを組み合わせて構成し、
該両面濾過式の平板状膜エレメントまたは該片面濾過式の平板状膜エレメントにおける前記濾過処理面同士をクロスフロー領域を介して対向配置させた第一のクロスフロー領域と、
該片面濾過式の平板状膜エレメントの前記非濾過処理面を、該両面濾過式の平板状膜エレメントまたは該片面濾過式の平板状膜エレメントにおける前記濾過処理面に対してクロスフロー領域を介して対向配置させた第二のクロスフロー領域と
が設けられており、それら第一のクロスフロー領域と第二のクロスフロー領域との割合が設定変更可能とされていることを特徴とする浸漬型膜分離装置。
【請求項２】
少なくとも一つの前記片面濾過式の平板状膜エレメントにおいて、
該片面濾過式の平板状膜エレメントにおける前記濾過処理面側に前記第一のクロスフロー領域が設けられていると共に、
該片面濾過式の平板状膜エレメントにおける前記非濾過処理面側に前記第二のクロスフロー領域が設けられている請求項１に記載の浸漬型膜分離装置。
【請求項３】
前記片面濾過式の平板状膜エレメントにおける前記濾過膜シートとして、基材の一方の面だけに高分子濾過層を被着形成した片面濾過層型の濾過膜シートを用いた請求項１又は２に記載の浸漬型膜分離装置。
【請求項４】
前記片面濾過式の平板状膜エレメントにおける前記濾板の前記他方の面が、前記一方の面における前記濾過膜シートの配設領域に対応する中央部分において、滑らかな滑状表面とされている請求項１〜３の何れか１項に記載の浸漬型膜分離装置。
【請求項５】
前記片面濾過式の平板状膜エレメントにおける前記濾板の前記他方の面において、前記一方の面における前記濾過膜シートの配設領域に対応する中央部分が、その周囲の外周部分に比して凹んだ凹形状とされている請求項１〜４の何れか１項に記載の浸漬型膜分離装置。
【請求項６】
前記平板状膜エレメントにおける前記濾過液流路の外方開口部分が、前記濾板の上端縁部から上方に向かって突出する筒状のノズル部によって構成されており、該ノズル部に対して外部管体が接続可能とされていると共に、
前記平板状膜エレメントの該濾板の上端縁部における該ノズル部の基端側下方には、該濾板の両面においてそれぞれ外方に突出して、下方から上方に向かって次第に外方に大きく突出する傾斜面を形成する基端側突出部が設けられている
請求項１〜５の何れか１項に記載の浸漬型膜分離装置。
【請求項７】
前記平板状膜エレメントにおける前記濾過液流路の外方開口部分が、前記濾板の上端縁部から上方に向かって突出する筒状のノズル部によって構成されており、該ノズル部に対して外部管体が接続可能とされていると共に、
前記平板状膜エレメントの該濾板の上端縁部において該ノズル部を挟んだ長さ方向の両側に位置して、それぞれ、該濾板の上端縁部から上方に向かって突出するガード突部が設けられている
請求項１〜６の何れか１項に記載の浸漬型膜分離装置。
【請求項８】
請求項１〜７の何れか一項に記載の浸漬型膜分離装置を用いて濾過対象液を濾過処理する濾過処理方法であって、
前記両面濾過式の平板状膜エレメントと前記片面濾過式の平板状膜エレメントとの装着割合により前記第一のクロスフロー領域と前記第二のクロスフロー領域の割合を設定することによって濾過処理能力を調節して該濾過対象液を濾過処理することを特徴とする浸漬型膜分離装置を用いた濾過処理方法。
【発明の詳細な説明】
【技術分野】
【０００１】
本発明は、処理槽に貯留された濾過対象液に浸漬されて濾過に使用される平板状膜エレメントを用いて構成された膜ユニットを備えた浸漬型膜分離装置と、かかる浸漬型膜分離装置を用いた濾過処理方法に関するものである。
【背景技術】
【０００２】
浄化槽汚泥や生活系排水汚泥、し尿、施設排水等の処理対象液を濾過処理する設備として浸漬型膜分離装置が知られている。かかる浸漬型膜分離装置は、一般に、特許文献１（特開２００３−１１７３５７号公報）に記載されているように、平板状膜エレメントの複数枚を組み付けた膜ユニットを備えており、この膜ユニットを処理対象液に浸漬して濾過処理するようになっている。
【０００３】
また、上記膜ユニットを構成する平板状膜エレメントは、上記特許文献１や特許文献２（特開２００１−２１２４３６号公報）にも記載されているように、剛性を有する濾板の表裏両面にそれぞれ濾過膜シートを重ね合わせて各濾過膜シートの周縁を濾板に溶着すると共に、各濾過膜シートを透過した濾過液を外部に導く濾過液流路を濾板に形成してなる構造とされている。即ち、従来構造の平板状膜エレメントは、表裏の区別がない表裏同一構造であって、表裏の両面が何れも濾過処理面とされた両面濾過式とされている。
【０００４】
ところで、このような平板状膜エレメントの複数枚を組み付けた膜ユニットは、濾過対象液を貯留する処理槽内に設置されるが、濾過対象液の状態等に応じて必要とされる膜ユニットに要求される濾過処理能力が異なる。必要以上の処理能力の浄化槽を設置することは、定期的に交換が必要となる平板状膜エレメントの数が必要以上に多くなって不経済であるだけでなく、浄化槽内の微生物の環境も不適当になるおそれもあるからである。そこで、従来から、処理槽のサイズを予め複数種類準備しておいて、適合する大きさの処理槽を選択して設置するようになっている。
【０００５】
しかしながら、予め設定されて市場に提供されている浄化槽のサイズが段階的であるために、必ずしも適当なサイズの浄化槽を設置できない場合がある。具体的には、例えば一般住宅の場合は現状で最小が５人槽であり、その上は７人槽、１０人槽等と段階的に処理槽の大きさが設定されているだけであるから、たとえ一人住まいでも５人槽のサイズの浄化槽が設置されることが多い。
【０００６】
また、し尿浄化槽は、ＪＩＳ規格により建築物用途や床面積等に応じて設置する大きさが規定されているが、実際に設置された浄化槽に要求される濾過処理能力は建築物の場所や実質的居住人数等によっても大きく異なる。そのために、ＪＩＳ規格等の規則で定められる大きさの処理槽を設置しても、それが実情にそぐわずに大きすぎる場合もある。
【０００７】
なお、上述の如き理由により、設置された浄化槽のサイズが大きすぎて処理能力に余裕があり過ぎる場合に、膜ユニットにおける平板状膜エレメントを適当に間引いて減らすことで対応することも考えられる。ところが、平板状膜エレメントを間引くとクロスフロー領域の隙間（平板状膜エレメントの対向面間距離）が大幅に変化してしまい、設計時に予定した槽内の液循環が阻害されることによって、浄化効率が大幅に低下してしまったり、局所的な滞留が発生して、異臭や故障等のトラブルの原因になるおそれがある。また、平板状膜エレメントを間引いたところに、平板状膜エレメントと同じ形状のプレートを配設することで隙間を小さく維持することも考えられるが、結局、濾過膜を備えない単なるプレートでは液が負圧吸引されないから、そこに液の滞留が発生し易く、トラブルの原因になるおそれがあることに変わりはない。
【先行技術文献】
【特許文献】
【０００８】
【特許文献１】特開２００３−１１７３５７号公報
【特許文献２】特開２００１−２１２４３６号公報
【発明の概要】
【発明が解決しようとする課題】
【０００９】
ここにおいて、本発明は、上述の如き事情を背景として為されたものであって、その解決課題とするところは、処理槽のサイズが能力的に大きすぎる場合に、処理槽内での液循環への悪影響を可及的に回避しつつ、濾過処理能力を低く調節して最適化を図ることで、環境的にも経済的にも一層優れた対応を可能と為し得る、新規な構造の平板状膜エレメントを用いて構成された膜ユニットを備えた浸漬型膜分離装置、及び、かかる浸漬型膜分離装置を用いた濾過処理方法を提供することにある。
【課題を解決するための手段】
【００１０】
以下、このような課題を解決するために為された本発明の態様を記載する。なお、以下に記載の各態様において採用される構成要素は、可能な限り任意の組み合わせで採用可能である。
【００１１】
浸漬型膜分離装置に関する本発明の特徴とするところは、平板状膜エレメントの複数をそれぞれが鉛直方向に広がるように且つ互いに水平方向で所定間隔を隔てて重なり合うように位置決め配置されており、処理槽内に設置されて濾過対象液に浸漬されることにより隣り合う各平板状膜エレメントの対向面間にクロスフロー領域が形成されるようにした膜ユニットを備えた浸漬型膜分離装置において、（ｉ）剛性を有する濾板の両面にそれぞれ濾過膜シートを重ね合わせて各該濾過膜シートの周縁を該濾板に固着すると共に、各該濾過膜シートを透過した濾過液を外部に導く濾過液流路を該濾板に形成して、該濾板の両面に濾過処理面を構成した両面濾過式の平板状膜エレメントと、（ｉｉ）剛性を有する濾板の一方の面に濾過膜シートを重ね合わせて該濾過膜シートの周縁を該濾板に固着すると共に、該濾過膜シートを透過した濾過液を外部に導く濾過液流路を該濾板に形成することにより、該濾板の一方の面側に濾過処理面を構成する一方、該濾板の他方の面を露呈させることにより、該濾板の他方の面側に非濾過処理面を構成した片面濾過式の平板状膜エレメントとの、両方（ｉ），（ｉｉ）を採用して、前記処理槽内で両面が前記濾過対象液に晒された状態で浸漬される前記平板状膜エレメントの複数を、前記両面濾過式の平板状膜エレメントと前記片面濾過式の平板状膜エレメントとを組み合わせて構成し、該両面濾過式の平板状膜エレメントまたは該片面濾過式の平板状膜エレメントにおける前記濾過処理面同士をクロスフロー領域を介して対向配置させた第一のクロスフロー領域と、該片面濾過式の平板状膜エレメントの前記非濾過処理面を、該両面濾過式の平板状膜エレメントまたは該片面濾過式の平板状膜エレメントにおける前記濾過処理面に対してクロスフロー領域を介して対向配置させた第二のクロスフロー領域とが設けられており、それら第一のクロスフロー領域と第二のクロスフロー領域との割合が設定変更可能としたことにある。
【００１２】
このような本発明に従う構造とされた浸漬型膜分離装置においては、両面濾過式の平板状膜エレメントと片面濾過式の平板状膜エレメントとが相互置換可能に同一形状で構成されて採用されており、それら両面濾過式の平板状膜エレメントと片面濾過式の平板状膜エレメントの装着割合を適宜に変更設定することが可能である。そして、両面濾過式の平板状膜エレメントに代えて片面濾過式の平板状膜エレメントを装着することで、平板状膜エレメントの対向面間に形成されるクロスフロー領域の隙間寸法（隣り合う平板状膜エレントの対向面間距離）を維持しつつ、濾過膜面積を半分にすることが出来る。要するに、第一のクロスフロー領域に比して、第二のクロスフロー領域では、濾過膜面積が半分に設定される。
それ故、浸漬型膜分離装置において膜ユニットのサイズおよび装着される平板状膜エレメントの枚数をそのままに維持して、各クロスフロー領域での濾過対象液の局所的な滞留等の問題を回避しつつ、濾過膜面積を細かく調節することが出来、設置条件に対して経済的且つ環境的に優れた対応をとることが可能となるのである。
本発明に従う構造とされた浸漬型膜分離装置に用いられる平板状膜エレメントは、濾過対象液を濾過膜シートを通じて吸引濾過処理する濾過処理面を、濾板の一方面だけに備えた片面濾過式を含んでいる。また、濾板によって実現される全体の形状や大きさ等は、両面に濾過膜シートを配した従来構造の両面濾過式の平板状膜エレメントと同じに設定することが出来る。それ故、複数枚の平板状膜エレメントを所定間隔で並置した膜ユニットにおいて、従来構造の両面濾過式の平板状膜エレメントの幾つかを、本発明に係る片面濾過式の平板状膜エレメントに交換して装着することが出来る。
【００１３】
これにより、膜ユニットにおいて、本発明に係る片面濾過式の平板状膜エレメント同士を対向配置させることにより、従来構造の両面濾過式の平板状膜エレメント同士を対向配置させた場合に比して、対向面間のクロスフロー領域における濾過処理の面積を半分に減少させることが出来る。しかも、並置された平板状膜エレメント間の対向面間距離は、従来構造の両面濾過式の平板状膜エレメント同士を対向配置させた場合と同様に維持される。
【００１４】
従って、浸漬型膜分離装置において、従来構造の両面濾過式の平板状膜エレメントの適当数を、本発明に係る片面濾過式の平板状膜エレメントに置き換えたとしても、平板状膜エレメントの対向面間における処理液の滞留ひいては処理槽内における液流動が著しく阻害されることがない。そして、処理槽内における液流動の局所的な滞留等に起因する浄化効率の大幅な低下や異臭，故障等のトラブルの発生を回避しつつ、膜ユニットにおける全体的な有効濾過面積を適宜に且つ簡単に調節することで環境的にも優れた対応が可能となる。
【００１５】
また、本発明に従う構造とされた浸漬型膜分離装置に用いられる片面濾過式の平板状膜エレメントを採用することにより、要求される能力に合致した適当な処理槽の大きさが無い場合でも、膜ユニットにおける両面濾過式の平板状膜エレメントと片面濾過式の平板状膜エレメントとの混在割合を調節することによって、大きめの処理槽を用いて適当な濾過処理能力を備えた処理槽を提供することが可能となる。それ故、結果的に、処理槽の大きさを細かく取り揃えておく必要がなくなり、処理槽の製造や設置のコストの低減も図られ得て経済的にも優れた対応が可能となる。
【００１６】
また、本発明の浸漬型膜分離装置に用いられる少なくとも一つの片面濾過式の平板状膜エレメントにおいては、片面濾過式の平板状膜エレメントにおける濾過処理面側に第一のクロスフロー領域が設けられていると共に、片面濾過式の平板状膜エレメントにおける非濾過処理面側に第二のクロスフロー領域が設けられていることが望ましい。
【００１７】
ところで、本発明の浸漬型膜分離装置に用いられる片面濾過式の平板状膜エレメントにおける濾過膜シートとして、基材の一方の面だけに高分子濾過層を被着形成した片面濾過層型の濾過膜シートを用いることが望ましい。
【００１８】
本発明では、濾過膜シートとして、目的とする濾過処理能力に応じて公知のものが任意に選択使用され得るが、従来から浄化槽に多く使用されている基材両面に高分子濾過層を形成した構造のものよりも、基材の片面だけに高分子濾過層を形成したものが好適に用いられる。かかる片面濾過層型の濾過膜シートでは、両面濾過層型の濾過膜シートに比して、濾過抵抗の低減が図られることにより、瞬間的な濾過性能を維持することが可能となる。
【００１９】
従って、このような片面濾過層型の濾過膜シートを、本発明の浸漬型膜分離装置における片面濾過式の平板状膜エレメントに採用することにより、両面濾過層型の濾過膜シートを備えた従来構造の両面濾過式の平板状膜エレメントを採用する場合に比して、膜ユニットにおいて、瞬間的な濾過性能を同等に維持しつつ、有効濾過面積を小さく（例えば、全ての両面濾過式の平板状膜エレメントを片面濾過式の平板状膜エレメントに置換すると有効濾過面積は半分になる）できる。その結果、全有効濾過面積（全ての平板状膜エレメントが備える濾過膜の総面積）に比例して行われる物理的な洗浄や化学的な洗浄（薬液洗浄等）の頻度は高くされる。それ故、例えば処理槽において設計流入液量よりも実態流入液量が少ない現場や、適当なサイズが無いために仕方なく大きなサイズの処理槽を設置した場合等、濾過膜の目詰まりが生じ難いような状況では、本発明に係る片面濾過式の平板状膜エレメントに片面濾過層型の濾過膜シートを組み合わせて採用することで、より一層のコストダウンが達成可能となる。
【００２０】
また、前述の片面濾過層型の濾過膜シートとして、より好適には、高分子濾過層に比して液体を容易に透過し得る織布や不織布、紙、多孔質膜等からなる基材に対して、その一方の片面に、ポリテトラフルオロエチレンの多孔質層からなるＰＴＦＥ分離膜からなる高分子濾過層を被着形成したものが採用される。更に好適には、かかる基材として、ポリエチレンテレフタレート等のポリエステル樹脂の不織布の他、ポリアミド、ポリイミド、ポリ塩化ビニル、ポリオサフィン（ポリプロピレン、ポリエチレン）の不織布などが採用される。
【００２１】
また、本発明の浸漬型膜分離装置に用いられる片面濾過式の平板状膜エレメントでは、非濾過処理面とされた濾板の他方の面が、濾過処理面とされた濾板の一方の面における濾過膜シートの配設領域に対応する中央部分において、滑らかな滑状表面とされることが望ましい。
【００２２】
膜ユニットにおいて平板状膜エレメントを対向配置した際、非濾過処理面は、隣り合う平板状膜エレメントの濾過膜シートに対向位置せしめられることとなる。それ故、この濾過膜シートに対向位置する非濾過処理面を滑状表面とすることで、濾過膜シートが例えば圧力流体の逆送による物理的洗浄（濾過膜シートの目詰まり解消）等に際して外方に膨らんで、かかる非濾過処理面に接触した場合でも、当該接触に起因する濾過膜シートの損傷が回避され得る。
【００２３】
なお、非濾過処理面の滑状表面における滑らかさの程度は、濾過膜シートの接触に対して損傷を与えない程度であれば良く、具体的には目視や手指の触診で角が認められない程度に滑らかであれば良い。より好適には、対向位置する濾過膜シートが接触する可能性がある領域（中央部分）が、その全体に亘って段差のない一様な平面又は湾曲面とされる。
【００２４】
また、本発明の浸漬型膜分離装置に用いられる片面濾過式の平板状膜エレメントでは、非濾過処理面とされた濾板の他方の面において、濾過処理面とされた濾板の一方の面における濾過膜シートの配設領域に対応する中央部分が、その周囲の外周部分に比して凹んだ凹形状とされることが望ましい。
【００２５】
かくの如く、非濾過処理面における中央部分を周囲の外周部分に比して凹形状とすることにより、濾板の強度を確保しつつ容積（樹脂ボリューム）を抑えて材料及びコストの低減を図ることが出来る。しかも、対向位置する濾過膜シートが接触する可能性がある領域（中央部分）を凹ませることにより、当該濾過膜シートの接触が低減されて、接触に起因する濾過膜シートの損傷のおそれも効果的に回避される。
【００２６】
また、本発明の浸漬型膜分離装置に用いられる平板状膜エレメントでは、濾過液流路の外方開口部分が、濾板の上端縁部から上方に向かって突出する筒状のノズル部によって構成されており、該ノズル部に対して外部管体が接続可能とされていると共に、濾板の上端縁部における該ノズル部の基端側下方には、濾板の両面においてそれぞれ外方に突出して、下方から上方に向かって次第に外方に大きく突出する傾斜面を形成する基端側突出部が設けられている態様が、好適に採用され得る。
【００２７】
すなわち、ノズル部には外部管体の端部が外挿接続されることとなるが、このノズル部に接続された外部管体の先端面よりも下方に位置して、基端側突出部が設けられることとなる。そして、かかる基端側突出部は、下方から上方に向かって例えばテーパ状に拡径するような外周傾斜面を備えていることから、平板状膜エレメントの表面に沿って下方から上昇流動せしめられる濾過対象液が、基端側突出部の外周傾斜面によりノズル部から離れる方向に案内される。その結果、ノズル部に外挿接続された外部管体の端面に対する濾過対象液の流体圧力が軽減されることとなり、外部管体のノズル部からの抜け出しが効果的に防止され得るのである。
【００２８】
特に、外部管体にはもともと負圧吸引力が及ぼされることから、ノズル部からの抜け出しのトラブルは発生し難いと解されているが、下方からのエア曝気で上昇流動する濾過対象液の粘度が大きい場合や流体流動速度が大きい場合等には、かくの如き基端側突出部が一層好適に用いられ得る。
【００２９】
また、本発明の浸漬型膜分離装置に用いられる平板状膜エレメントでは、濾過液流路の外方開口部分が、濾板の上端縁部から上方に向かって突出する筒状のノズル部によって構成されており、該ノズル部に対して外部管体が接続可能とされていると共に、該濾板の上端縁部において該ノズル部を挟んだ長さ方向の両側に位置して、それぞれ、該濾板の上端縁部から上方に向かって突出するガード突部が設けられている態様が、好適に採用され得る。
【００３０】
このようなガード突部を設けることにより、平板状膜エレメントを移送や交換等に際して取り扱う場合に、その上端縁部から外方に突設されたノズル部に対して他部材が打ち当たる等してノズル部が損傷してしまう問題を効果的に防止することが出来る。
【００３１】
さらに、本発明の曝気装置としては、従来から公知のものが何れも採用可能である。また、曝気装置によって原水中に供給される気体の種類は、原水の性状等に応じて適宜選択される。例えば、好気性微生物による分解機能を発揮させるのであれば、空気等の酸素が含まれた気体が選択される。嫌気性微生物による分解機能を発揮させるのであれば、窒素が選択される。
また、濾過処理方法に関する本発明の特徴とするところは、上述の如き本発明に従う構造とされた浸漬型膜分離装置を用いて濾過対象液を濾過処理する濾過処理方法であって、前記両面濾過式の平板状膜エレメントと前記片面濾過式の平板状膜エレメントとの装着割合により前記第一のクロスフロー領域と前記第二のクロスフロー領域の割合を設定することによって濾過処理能力を調節して該濾過対象液を濾過処理する濾過処理方法にある。
【図面の簡単な説明】
【００３２】
【図１】本発明の実施形態としての浸漬型膜分離装置用の膜ユニットを示す正面図。
【図２】図１に示された膜ユニットの側面図。
【図３】図１に示された膜ユニットの部分拡大図。
【図４】図３におけるＩＶ−ＩＶ断面図。
【図５】図１に示された平板状膜エレメントの表面図。
【図６】図５の平板状膜エレメントの要部拡大図。
【図７】図５に示された平板状膜エレメントの裏面図。
【図８】図７の平板状膜エレメントの要部拡大図。
【図９】図５に示された平板状膜エレメントの部分拡大平面図。
【図１０】図９におけるＸ−Ｘ断面図。
【図１１】図５の平板状膜エレメントの要部拡大図。
【図１２】図１１におけるＸＩＩ−ＸＩＩ断面図。
【図１３】図７の平板状膜エレメントの部分拡大図。
【図１４】図５に示された平板状膜エレメントの部分拡大底面図。
【図１５】図５に示された平板状膜エレメントを構成する濾板の表面図。
【図１６】図１５の濾板の要部拡大図。
【発明を実施するための形態】
【００３３】
以下、本発明を更に具体的に明らかにするために、本発明の実施形態について、図面を参照しつつ、詳細に説明する。
【００３４】
図１及び図２には、本発明の実施形態としての浸漬型膜分離装置用の膜ユニット１０が示されている。この膜ユニット１０は、矩形タワー形骨格構造のケース枠体１２に対して複数の平板状膜エレメント１４が収容状態で装着された構造となっている。そして、かかる膜ユニット１０は、図示しない処理槽の中に収容状態で固定的に設置されて、処理層に貯留された濾過対象液に浸漬されて使用される。なお、以下の説明において、上下方向とは、原則として、膜ユニット１０の設置状態における鉛直上下方向となる図１，２中の上下方向をいう。
【００３５】
より詳細には、ケース枠体１２は、押出形材等の適当な剛性材の複数本を溶接やボルト等で連結して組み合わせることによって形成されている。また、中空構造とされたケース枠体１２の内部には、複数の平板状膜エレメント１４が装着されている。
【００３６】
なお、ケース枠体１２では、周壁が外方に開口されて、内部に装着された平板状膜エレメント１４が外部に露出されている。また、ケース枠体１２は、上下に開放されていると共に、ケース枠体１２の下部には、曝気用管体１６、１６が配管されている。これら曝気用配管１６、１６の周壁に形成された噴出孔から、エア等が濾過対象液中に噴出されるようになっている。
【００３７】
そして、曝気用配管１６、１６から噴出されたエア等は、ケース枠体１２内に装着された複数の平板状膜エレメント１４の対向面間の隙間（クロスフロー領域）を通じて上方に浮上されるようになっており、このエア等の浮上によって、かかるクロスフロー領域に存在する濾過対象液に対して下方から上方に向かう流体流動が生ぜしめられるようになっている。なお、ケース枠体１２において、曝気用配管１６、１６から平板状膜エレメント１４の下端縁部にまで至る領域は、周壁板１８によって周囲を覆われており、曝気用配管１６、１６から噴出されたエア等が、不必要に拡散することなく、クロスフロー領域に対して効率的に導かれるようになっている。
【００３８】
ここにおいて、本実施形態の平板状膜エレメント１４は、略矩形平板形状の濾板２０を備えている。この濾板２０は、ＡＢＳ等の硬質樹脂材料によって一体成形されており、特に本実施形態では、矩形平板形状の本体部分に対して、その上端部分において左右両側に突出する一対の耳部２２，２２が、各短冊形状をもって一体形成されている。そして、図３〜４に示されているように、これら左右一対の耳部２２，２２が、それぞれ、ケース枠体１２で固定的に把持されることによって、平板状膜エレメント１４がケース枠体１２内で位置決めされて組み付けられている。
【００３９】
なお、各耳部２２には、略中央部分を板厚方向に貫通してサービス孔２３が形成されており、これらのサービス孔２３，２３を利用して、平板状膜エレメント１４を吊り上げることが出来るようになっている。また、各耳部２２には、ゴム弾性体等で形成された袋状の保護カバー２４が被せられている。そして、ケース枠体１２を構成する構造材２６，２８により、保護カバー２４を介して、耳部２２が挟持されることにより、平板状膜エレメント１４がケース枠体１２に対して位置決めされている。
【００４０】
そして、上述の如くしてケース枠体１２に装着された複数枚の平板状膜エレメント１４は、板厚方向で相互に微小間隔を隔てて互いに平行に重ね合わされた状態で、相互に位置決めされている。なお、隣接配置された平板状膜エレメント１４、１４の対向面間距離は、特に限定されるものでないが、例えば濾板２０の厚さ寸法と略同じ程度に設定される。
【００４１】
さらに、平板状膜エレメント１４には濾板２０の表面上に濾過膜シート３０が重ね合わされており、この濾過膜シート３０による濾過作用を利用して濾過機能が発揮されるようになっている。
【００４２】
ところで、図５〜１４に示されているように、平板状膜エレメント１４は、濾板２０の表裏両面において互いに異なる構造とされている。特に図５，６，１１に示されているように、濾板２０の一方の面（以下「表面」という）３２側には、濾過膜シート３０が重ね合わされて略全面を覆うように配されて、濾過処理面３４が構成されている。一方、濾板２０の他方の面（以下「裏面」という）３６側には濾過膜シートが配されておらず、濾板２０が直接に露呈されて、非濾過処理面３８が構成されている。
【００４３】
また、濾板２０には、左右両側部分において、上端面から上方に向かって突出する略円筒形状のノズル部４０が一体形成されている。そして、このノズル部４０の中心軸上に貫設された吸引孔４２が、濾板２０の表面３２において、濾過膜シート３０で覆われる部位に開口せしめられている。これにより、ノズル部４０に対して樹脂チューブ等の外部管体４４の一端を外挿接続し、該外部管体４４を通じて外部の吸引ポンプ等の負圧力を及ぼすことにより、平板状膜エレメント１４が浸漬される濾過対象液を濾過膜シート３０に透過させて外部管体４４から濾過吸引し、外部管体４４を通じて排出し得るようになっている。なお、このことから明らかなように、本実施形態では、ノズル部４０の先端における吸引孔４２の開口部分によって、濾過膜シート３０で濾過された濾過液流路の外方開口部分が構成されている。
【００４４】
なお、本実施形態の濾板２０の上端縁部には、ノズル部４０の基端側下方に位置する部分において、濾板２０の表裏両面にそれぞれ突出する基端側突出部４６，４６が形成されている。これら表裏の基端側突出部４６，４６は、全体として半球体を濾板２０の上端縁部に埋め込んだような形状とされており、下方から上方に向かって外方に膨らんで拡径している。
【００４５】
そして、これら基端側突出部４６，４６の外周面により、濾板２０の下方から上方に向かって次第に外方に大きく突出する傾斜面４８，４８が形成されている。即ち、これら傾斜面４８，４８は、図１０に示されているように、ノズル部４０の基端側の直下において、ノズル部４０に向かって拡開する逆スカート形状を呈しているのである。
【００４６】
なお、基端側突出部４６，４６の突出高さは、その上端の最大突出部位において、濾板２０の表裏両側の基端側突出部４６，４６の頂部間距離（図１０中のＬ）が、ノズル部４０に外挿された外部管体４４の下端外径寸法（図１０中のＤ）以上となるように設定されることが望ましい。これにより、処理層内において濾板２０の表面に沿って下方から上方に向かって流動せしめられる濾過対象液に対して、図１０中に矢印で示されているように、基端側突出部４６，４６の傾斜面４８，４８による整流作用（案内作用）が一層効果的に発揮される。即ち、かかる傾斜面４８，４８の整流作用により、下方からノズル部４０に向かって上昇流動する濾過対象液がノズル部４０から外周側に離れる方向に案内されて、該ノズル部４０に外挿された外部管体４４の下端面に対する流体圧の作用が一層効果的に低減され得るのである。
【００４７】
さらに、本実施形態の濾板２０の上端縁部には、ノズル部４０を挟んだ左右方向（濾板２０の上端縁部の長さ方向となる図６，７中の左右方向）の両側に位置して、上方に向かって突出するガード突部５０，５０が一体形成されている。特に本実施形態では、これら両側のガード突部５０，５０が、ノズル部４０を挟んで対称形状とされており、何れも、上方への突出先端縁部が、ノズル部４０からの遠位端から近位端に向かって次第に突出高さの大きくなる傾斜上辺５２とされている。
【００４８】
特に本実施形態では、かかるガード突部５０が、濾板２０の外周縁部と略同じ厚さ寸法をもって形成された不等辺の直角三角形状とされている。そして、直角の角部をノズル部４０側に向け、斜辺を傾斜上辺５２として形成されている。また、かかる傾斜上辺５２における濾板２０の上端縁部からの最大突出高さ（換言すれば、ノズル部４０に対峙する辺の長さ）は、ノズル部４０の突出高さと略同じか、それより僅かに大きくされることが望ましい。
【００４９】
これらのガード突部５０，５０は、ノズル部４０の両側を保護する機能を発揮する。すなわち、濾板２０を搬送したり、濾板２０をケース枠体１２に対して着脱する場合などにおいて、ノズル部４０が他部材に打ち当たる場合には、その前に、ガード突部５０が当該他部材に打ち当り易い。それ故、ノズル部４０が予期せずに他部材に打ち当たることに起因するノズル部４０の損傷を防止することが出来る。
【００５０】
しかも、本実施形態では、ガード突部５０が傾斜上辺５２を備えていることから、処理層内において濾板２０の表面３２に沿って下方から上方に向かって流動せしめられる濾過対象液に対して、かかる傾斜上辺５２による整流作用（案内作用）も発揮される。即ち、濾板２０の上端縁部では、上方に向かう流体流動に対して、濾板２０の直上で濾板２０が無くなることによる渦流が発生して局部的な圧力低下が生ずるが、この渦流による圧力低下位置が傾斜上辺５２に沿った傾斜線上とされる。その結果、傾斜上辺５２に対して略直交する方向で圧力勾配が大きくなることにより、図６中に矢印で示されているように、傾斜上辺５２による整流効果が発揮されて、下方からノズル部４０に向かって上昇流動する濾過対象液がノズル部４０から外周側に離れる方向に案内されて、該ノズル部４０に外挿された外部管体４４の下端面に対する流体圧の作用が一層効果的に低減され得るのである。
【００５１】
一方、濾板２０において、濾過膜シート３０が重ね合わされる表面３２には、図１５〜１６にも示されているように、外周縁部に沿って延びる溶着代５４が形成されている。この溶着代５４は、周方向の全周に亘って連続して延びるように全体として略矩形枠体形状をもって形成されている。本実施形態では、かかる溶着代５４は、一定の山形断面で周方向に連続して延びる２条の平行な溶着リブ５６，５８と、それら溶着リブ５６，５８の外周側を所定幅で取り囲むようにして周方向に広がる格子形状の溶着突起６０とを、含んで構成されている。更に、２条の溶着リブ５６，５８の間には、四角部分において、それぞれ、カギ形に延びる角部溶着リブ６２が形成されている。
【００５２】
さらに、かかる溶着代５４で囲まれた表面３２の中央部分には、その略全体に亘って枝状に繋がって広がる凹溝６４が形成されている。本実施形態では、かかる凹溝６４が、表面３２の上部を左右に延びる横溝部６４ａと、表面３２の幅方向で互いに所定間隔を隔ててそれぞれ上下方向に延びる複数の縦溝部６４ｂを含んで構成されており、各縦溝部６４ｂの上端部が横溝部６４ａに接続されている。また、横溝部６４ａの長さ方向両側部分には、上方に向かって溶着代５４の近くまで延びる接続溝６６が形成されており、この接続溝６６の上端部が、ノズル部４０に貫設された吸引孔４２の内方端部に対して連通されている。これにより、外部管体４４からノズル部４０を通じて及ぼされる吸引力が、濾板２０の表面３２に形成された凹溝６４の全体に亘って及ぼされるようになっている。
【００５３】
そして、このような凹溝６４が形成された濾板２０の表面３２に対して、濾過膜シート３０が重ね合わされて装着されている。かかる濾過膜シート３０は、溶着代５４に対して外周部分が重ね合わされるだけの大きさをもった膜形状を有しており、特に本実施形態では、その外周端縁が、溶着突起６０の内周端縁よりも一回り大きく且つ溶着突起６０の外周端縁よりも一回り小さな大きさの矩形平膜形状とされている。
【００５４】
この濾過膜シート３０は、濾板２０の表面３２に重ね合わされた状態で、その外周部分が溶着代５４に対して溶着処理されることにより、図５，６，９，１０，１１，１２に示されているように、溶着代５４を構成する溶着リブ５６，５８や角部溶着リブ６２及び溶着突起６０に対して溶着で一体化されて固着されている。なお、図５，６，１１に示された溶着リブ５６，５８及び角部溶着リブ６２は、濾過膜シート３０の溶着後に該濾過膜シート３０を透過して表面から視認することが出来る状態を表している。
【００５５】
なお、濾過膜シート３０としては、従来から公知のものが採用可能であるが、例えば多孔質の濾材としてＰＴＦＥを採用したものであって、その全体がＰＴＦＥ単体で形成されているものの他、補強等の目的で、他の材質との一体的な複合構造や積層構造等とされたものが、好適に採用される。具体的には、例えば、ポリエチレンテレフタレートの基材（基膜）に対してポリテトラフルオロエチレンをコーティングしたものが好適に採用される。
【００５６】
ここにおいて、かかる補強材として機能する基材は、ＰＴＦＥ製の多孔質膜よりも大きな孔径の多孔体等であって通水性に優れたものであれば、特に限定されることはない。例えば、フェルト，不織布，織布，メッシュ（網目状シート）等を用いることが出来るが、強度や捕集性，柔軟性等の観点から不織布が望ましい。なお、補強材の繊維材料としては、ポリオレフィン（ポリエチレンやポリプロピレン等），ポリアミド，ポリエステル（ポリエチレンテレフタレート等），芳香族ポリアミド、或いは、これらを複合したもの等が特に好適に採用される。
【００５７】
また、補強材等である基材とＰＴＦＥ多孔質膜の積層体を製造する方法としては、例えば、単に重ね合わせて（必要に応じて加熱して）圧着するだけでも良いし、接着剤ラミネートや熱ラミネート等の方法を用いても良い。或いは、ホットメルトパウダーのような融着材を介在させて接着積層にしても良い。
【００５８】
より好適には、基材の片面にＰＴＦＥ分離膜を被着形成した片面濾過層型の濾過膜シート３０が採用される。このような片面濾過層型の濾過膜シート３０は、例えば基材の一方の表面にＰＴＦＥ膜素材たる高分子物質溶液をキャストして基材上にＰＴＦＥ膜を成膜することによって溶融流延で形成することが出来る他、溶融押出で形成したＰＴＦＥ膜を基材の一方の表面に重ね合わせて溶着等することによって形成するなど、公知の手法によって製造することが出来る。
【００５９】
そして、このようにして基材の片面にＰＴＦＥ分離膜を被着形成した片面濾過層型の濾過膜シート３０は、基材の片面だけにＰＴＦＥ膜が形成されていることと、基材に対してＰＴＦＥ膜が含浸されていないこととが相俟って、従来から一般に濾過膜として用いられている両面濾過層型のエチレン系濾過膜シートに比して、略同じ濾過孔径を実現しつつ、シート濾過抵抗を略半分程にまで抑えることが可能となる。
【００６０】
また、本発明においては、濾過膜シート３０の厚さ寸法が０．１ｍｍ〜０．３ｍｍであることが望ましい。これにより、濾板２０に対する固着強度と耐久性を一層有利に得ることが出来る。即ち、分離膜の厚さ寸法が０．１ｍｍよりも小さい場合、分離膜に十分な耐久性を与えることが難しく、分離膜の厚さ寸法が０．３ｍｍよりも大きい場合には、モジュール本体への固着強度を充分に得ることが難しくなるおそれがある。
【００６１】
なお、本実施形態では、濾過膜シート３０が重ね合わされて覆われる表面３２において、溶着代５４で周囲を囲まれた領域には、細かな凹凸が付されており、濾過膜シート３０の密着が防止されるようになっている。
【００６２】
また、必要に応じて、濾板２０の表面３２と濾過膜シート３０の間には、濾過膜シート３０の表面３２への密着を防止して有効濾過面積を安定確保したり、濾過膜シート３０を裏面から担持することで耐久性を向上させたり等する目的で、膜状のスペーサを配設することも可能である。例えば、ポリエチレンテレフタレート等を用いて形成された、濾過膜シート３０よりも充分に大きい孔径の多孔質膜からなる膜状スペーサを、濾板２０の表面３２と濾過膜シート３０との間に重ね合わせ、かかる膜状スペーサの外周縁部を濾過膜シート３０の外周縁部と共に、溶着代５４に対して溶着して装着することも可能である。
【００６３】
このようにして、濾板２０の表面３２に濾過膜シート３０が重ね合わされることによって形成された濾過処理面３４にあっては、ノズル部４０から及ぼされる吸引力が凹溝６４を通じて、表面３２上において濾過膜シート３０との間に画成された内部領域の略全体に及ぼされる。その結果、濾過膜シート３０の外面が晒される処理対象液に対して、濾過膜シート３０を通じての吸引力が及ぼされ、濾過膜シート３０を透過することで濾過作用を加えられた後、かかる内部領域からノズル部４０の吸引孔４２を通じて、外部管体４４から外部に排出される濾過処理が施されることとなる。なお、この濾過膜シート３０による処理対象液の濾過吸引方向は、処理槽内を曝気エア作用で流動せしめられる上方への流体流動方向に対して直交する方向となることから、処理槽内において並設された濾板２０，２０間の流体流動領域はクロスフロー領域とも言われている。
【００６４】
これに対して、濾板２０において非濾過処理面３８を構成する裏面３６は、前述のとおり濾過膜シートが配されておらずに濾板２０が直接に露呈されている。この裏面３６は、任意の形状や構造を採用することが可能であるが、特に本実施形態では、図７，８，１０，１２，１３にも示されているように、例えば表面３２の溶着代５４の内周縁の外周側に対応する、その外周部分６８は、溶着リブや溶着突起が形成されていないだけで表面３２と実質的に同一形状とされている。即ち、濾板２０の外周部分は、溶着用の突起等の有無が異なるだけで表裏が実質的に同一形状とされている。
【００６５】
一方、裏面３６において、かかる外周部分６８に取り囲まれた中央領域の広い部分、換言すれば表面３２において濾過膜シート３０で覆われた濾過領域に対応する部分は、外周部分よりも僅かに凹んだ凹形状の中央部分７０とされている。しかも、この中央部分７０は、その表面が滑らかで突起等が無い滑状表面とされている。
【００６６】
これにより、本実施形態の濾板２０においては、裏面３６側において、不必要な樹脂材料の削減と共に、軽量化も図られている。
【００６７】
しかも、図１〜２に示されているように複数の平板状膜エレメント１４が所定間隔のクロスフロー領域を隔てて並設された膜ユニット１０において、互いに水平方向で所定間隔を隔てて重なり合うように平板状膜エレメント１４を位置決め配置して、一方の平板状膜エレメント１４の濾過処理面３４と他方の平板状膜エレメント１４の非濾過処理面３８とが互いにクロスフロー領域を挟んで対向する状態で配設することにより、相互干渉による不具合の発生を効果的に防止することが可能となる。即ち、互いに隣り合う一方の平板状膜エレメント１４の表面３２に配設された濾過膜シート３０が、吸引ポンプのオン／オフや濾過膜シート３０の目詰り防止等のメンテナンスに際しての正圧供給等の物理的作用等によって外方に膨らんだ場合でも、隣り合う他方の平板状膜エレメント１４の裏面３６が凹形状の中央部分７０とされていることから、膨らんだ濾過膜シート３０の接触が軽減乃至は回避されて、損傷が防止され耐久性の向上が図られ得るのである。しかも、かかる裏面３６の中央部分７０が滑状面とされていることにより、たとえ平板状膜エレメント１４が接触した場合でも、悪影響が可及的に軽減され得る。
【００６８】
従って、上述の如き構造とされた平板状膜エレメント１４を、膜ユニット１０に装着されるものの少なくとも一つに採用することで、クロスフロー領域の隙間寸法を殆ど変えることなく、濾過表面積を減少させて調節することが可能となるのであり、これにより、例えば大形の膜ユニットを設置せざるを得ないような場合において、その濾過処理能力を経済的及び環境的に適合した状態に精度良く設定することが出来るのである。
【００６９】
なお、かかる膜ユニット１０では、従来構造に従う両面濾過式の平板状膜エレメントとして、前記実施形態に示した平板状膜エレメント１４における濾過処理面３４側の構造を表裏両面に採用したものが用いられる。このような両面濾過式の平板状膜エレメントと、上述の構造とされた片面濾過式の平板状膜エレメント１４とが、適当な割合で、全体として規定数だけ膜ユニット１０に装着されることとなる。
【００７０】
そして、このように両面濾過式の平板状膜エレメントと片面濾過式の平板状膜エレメント１４とが、実質的に同一サイズ及び形状の濾板を備えているものを膜ユニット１０に装着することから、それら両面濾過式の平板状膜エレメントと片面濾過式の平板状膜エレメント１４との装着割合を任意に変更しても、膜エレメント間に形成されるクロスフロー領域の大きさは略同一に保たれ、且つかかるクロスフロー領域において濾過吸引作用が（少なくとも一方の面側に向かって）維持されることとなる。これにより、処理槽内における局所的な滞留等の問題が効果的に回避され、全体として安定した濾過処理性能が発揮され得るのである。
【００７１】
以上、本発明の実施形態について詳述してきたが、本発明は当業者の知識に基づいて種々なる変更，修正，改良等を加えた態様において実施され得るものであり、また、そのような実施態様が本発明の趣旨を逸脱しない限り、何れも、本発明の範囲内に含まれるものであることは、言うまでもない。
【００７２】
例えば、前記実施形態の濾板２０では、その下端縁部の略全長に亘って、図１２，１３，１４に示されているように、下方に向かって次第に板厚寸法が小さくなる先細断面形状の下端案内部７２が形成されている。この下端案内部７２は、板厚方向の両側面が上方に行くに従って板厚方向外方に向かって次第に突出する傾斜面７４，７４とされている。これにより、下方から上方に向かって上昇する処理対象液の流動に対して傾斜面７４，７４が案内作用を為し、クロスフロー領域へ侵入する際の流体流動の乱れを抑えるようになっている。その結果、濾板２０に対して及ぼされる流体圧による振動が軽減乃至は防止されて、濾板２０の振動に起因する支持部の磨耗の軽減や異音の低減等が図られ得る。更に、本実施形態では、下端案内部７２における最上端の最大厚寸法が、濾板２０の外周部分６８の板厚寸法よりも僅かに大きくされて、濾板２０の表裏両面から僅かに突出されている。これにより、下方から上昇流動せしめられる処理対象液の流体圧が、濾板２０の表面３２に溶着された濾過膜シート３０の端縁部に直接に作用することが軽減され、濾過膜シート３０の耐久性や、剥離耐久性の向上等も図られている。
【００７３】
なお、本明細書において記載したノズル部４０の下方の基端側突出部４６，４６による傾斜面４８，４８や、ノズル部４０の左右両側のガード突部５０，５０およびその傾斜上辺５２，５２、更に、濾板２０の下端縁部における先細断形状の下端案内部７２等は、何れも、本発明から独立して、それぞれ単独で発明を構成し得るものである。尤も、本出願では、それらの各発明を、出願の単一性という形式的な要件を充足する目的で、特許請求の範囲において従属的に記載している。即ち、以下の何れの発明も、それぞれ単独で技術的に認識され得るものであるが、本出願では、上記形式的理由から、単独では権利請求していない。
【００７４】
剛性を有する濾板の少なくとも一方の面に濾過膜シートを重ね合わせて該濾過膜シートの周縁を該濾板に固着すると共に、該濾過膜シートを透過した濾過液を外部に導く濾過液流路を該濾板に形成することにより、該濾板の少なくとも一方の面側に濾過処理面を構成した、処理槽内で鉛直方向に配置されて濾過対象液に浸漬される平板状膜エレメントであって、前記濾過液流路の外方開口部分が、前記濾板の上端縁部から上方に向かって突出する筒状のノズル部によって構成されており、該ノズル部に対して外部管体が接続可能とされていると共に、該濾板の上端縁部における該ノズル部の基端側下方には、該濾板の両面においてそれぞれ外方に突出して、下方から上方に向かって次第に外方に大きく突出する傾斜面を形成する基端側突出部が設けられている構成の平板状膜エレメント。
【００７５】
剛性を有する濾板の少なくとも一方の面に濾過膜シートを重ね合わせて該濾過膜シートの周縁を該濾板に固着すると共に、該濾過膜シートを透過した濾過液を外部に導く濾過液流路を該濾板に形成することにより、該濾板の少なくとも一方の面側に濾過処理面を構成した、処理槽内で鉛直方向に配置されて濾過対象液に浸漬される平板状膜エレメントであって、前記濾過液流路の外方開口部分が、前記濾板の上端縁部から上方に向かって突出する筒状のノズル部によって構成されており、該ノズル部に対して外部管体が接続可能とされていると共に、該濾板の上端縁部において該ノズル部を挟んだ長さ方向の両側に位置して、それぞれ、該濾板の上端縁部から上方に向かって突出するガード突部が設けられている構成の平板状膜エレメント。なお、上記ノズル部を挟んだ両側に設けられたガード突部の少なくとも一方は、該ノズル部に対する遠位側から近位側に向かって次第に上方に大きく突出する傾斜上辺を備えていることが好適である。
【符号の説明】
【００７６】
１０：膜ユニット、１４：平板状膜エレメント、２０：濾板、３０：濾過膜シート、３２：表面（一方の面）、３４：濾過処理面、３６：裏面（他方の面）、３８：非濾過処理面、４０：ノズル部（濾過液流路）、４２：吸引孔、４４：外部管体、４６：基端側突出部、４８：傾斜面、５０：ガード突部、５２：傾斜上辺、６８：外周部分、７０：中央部分
【図１】
2014057967.tif 000003
【図２】
2014057967.tif 000004
【図３】
2014057967.tif 000005
【図４】
2014057967.tif 000006
【図５】
2014057967.tif 000007
【図６】
2014057967.tif 000008
【図７】
2014057967.tif 000009
【図８】
2014057967.tif 000010
【図９】
2014057967.tif 000011
【図１０】
2014057967.tif 000012
【図１１】
2014057967.tif 000013
【図１２】
2014057967.tif 000014
【図１３】
2014057967.tif 000015
【図１４】
2014057967.tif 000016
【図１５】
2014057967.tif 000017
【図１６】
2014057967.tif 000018